(57)【特許請求の範囲】
【請求項１】
棒状の外形形状を有する把持部と、
上記把持部の前端部の一方の側面から斜め前方に突出する突出延長部と、該突出延長部の先端から上記把持部の中心軸線に近づく方向に折れ曲る折曲り部と、該折曲り部の先端から上記中心軸線と直交して上記把持部先端の前方位置を当該把持部の先端と対向しながら通って他方の側面に対向する位置まで延長する支持軸部とを有するアーム部と、
上記アーム部の支持軸部に回転自在に取り付けられると共に、上記把持部の先端前方位置において、被施術者の皮膚に転接しながら、アフタトリートメント用電流を流すアフタトリートメント用ローラ部と、
アフタトリートメント用ローションを含浸した状態で上記アフタトリートメント用ローラ部に被せられることにより当該アフタトリートメント用ローションを被施術者の皮膚に塗り付けるローラカバーと、
上記把持部の先端部の下面における上記アーム部の上記突出延長部、上記折曲り部及び上記支持軸部に囲まれたほぼ中央部位置において上記アフタトリートメント用ローラ部が転接している位置から上記把持部の先端までの間の範囲の上記被施術者の皮膚にアフタトリートメント用エアーを吹き付けるように上記把持部の先端部から下前方に向って設けられたアフタトリートメント用エアー吹付け部と
を具え、
上記アフタトリートメント用エアー吹付け部は、上記アーム部の上記突出延長部及び上記折曲り部並びに上記ローラカバーに上記アフタトリートメント用エアーを直接吹き付けることがないように、上記把持部の中心軸線に対して３０°±１０°の噴出し角度で上記皮膚上に上記アフタトリートメント用エアーを吹き付ける
ことを特徴とするアフタトリートメント用ローラ。
【請求項２】
上記アフタトリートメント用エアー吹付け部は、上記アフタトリートメント用エアーと共に、ローションを吹き付ける
ことを特徴とする請求項１に記載のアフタトリートメント用ローラ。
【発明の詳細な説明】
【０００１】
【発明の属する技術分野】
本発明はアフタトリートメント用ローラに関し、特に電気脱毛処理後の被施術者の皮膚の回復処理に適用して好適なものでなる。
【０００２】
【従来の技術】
従来、電気脱毛処理、例えば美容電気脱毛処理として、毛穴に電極となるプローブを差し込み、高周波電流及び又は直流電流をプローブを通じて毛穴内に通電することにより、毛根部を加熱し及び又はアルカリ変性させることにより、永久脱毛をするような方法が用いられている。
【０００３】
【発明が解決しようとする課題】
この種の電気脱毛処理においては、処理後に毛穴の内部において高周波発熱による熱傷又はアルカリ変性によるアルカリによって一時的にいわゆる火傷に似た状態が生じて皮膚の赤身や腫れとなって残るので、処理後にこのような肌の状態を速やかに通常の状態に回復させることが望ましい。
【０００４】
因に、電気脱毛処理の状態は、皮膚全体が損傷するような一般的な火傷とは異なり、皮膚表面、すなわち表皮部に点在する毛穴内及び皮膚表面に生じた部分的な発熱状態であり、当該発熱状態を鎮静して電気脱毛処理前の状態に副作用なく回復させることが望ましい。
【０００５】
本発明は以上の点を考慮してなされたもので、電気脱毛処理後の皮膚の回復を一段と効率良くかつ簡便になし得るようにしたアフタトリートメント用ローラを提案しようとするものである。
【０００６】
【課題を解決するための手段】
かかる課題を解決するため本発明においては、棒状の外形形状を有する把持部１２と、把持部１２の前端部の一方の側面から斜め前方に突出する突出延長部１３Ａと、該突出延長部１３Ａの先端から把持部１２の中心軸線に近づく方向に折れ曲る折曲り部１３Ｂと、該折曲り部１３Ｂの先端から中心軸線と直交して把持部１２の先端の前方位置を当該把持部１２の先端と対向しながら通って他方の側面に対向する位置まで延長する支持軸部１３Ｃとを有するアーム部１３と、アーム部１３の支持軸部１３Ｃに回転自在に取り付けられると共に、把持部１２の先端前方位置において、被施術者の皮膚に転接しながら、アフタトリートメント用電流を流すアフタトリートメント用ローラ部１１と、アフタトリートメント用ローションを含浸した状態でアフタトリートメント用ローラ部１１に被せられることにより当該アフタトリートメント用ローションを被施術者の皮膚に塗り付けるローラカバー３０と、把持部１２の先端部の下面におけるアーム部１３の突出延長部１３Ａ、折曲り部１３Ｂ及び支持軸部１３Ｃに囲まれたほぼ中央部位置においてアフタトリートメント用ローラ部１１が転接している位置から把持部１２の先端までの間の範囲の被施術者の皮膚にアフタトリートメント用エアーを吹き付けるように把持部１２の先端部から下前方に向って設けられたアフタトリートメント用エアー吹付け部（２１〜２３）とを具え、アフタトリートメント用エアー吹付け部（２１〜２３）は、アーム部１３の突出延長部１３Ａ及び折曲り部１３Ｂ並びにローラカバー３０にアフタトリートメント用エアーを直接吹き付けることがないように、把持部１２の中心軸線に対して３０°±１０°の噴出し角度で皮膚上にアフタトリートメント用エアーを吹き付けるようにする。
【０００７】
【発明の実施の形態】
以下図面について、本発明の一実施の形態を詳述する。
【０００８】
（１）第１の実施の形態
図１において、１は美容脱毛装置を示し、美容脱毛装置本体部２を有する。
【０００９】
美容脱毛装置本体部２は脱毛用電源２Ａ及びアフタートリートメント用電源２Ｂとを有し、電気脱毛処理時、電源切換スイッチ２Ｃを脱毛用電源２Ａ側に切り換えることにより電源切換スイッチ２Ｃを介して脱毛用電源２Ａをにぎり導子３に接続された導子用端子Ｔ１と電気脱毛用プローブ４に接続されたプローブ用端子Ｔ２との間に接続し、またアフタートリートメント処理時、電源切換スイッチ２Ｃをアフタートリートメント用電源２Ｂ側に切り換えることにより電源切換スイッチ２Ｃを介してアフタートリートメント用電源２Ｂを導子用端子Ｔ１とアフタートリートメント用ローラ５に接続されたローラ用端子Ｔ３との間に接続する。
【００１０】
被施術者の毛穴からむだ毛を脱毛施術する際、施術者は、にぎり導子３を被施術者の手ににぎらせた状態において、電気脱毛用プローブ４の先端に設けられたプローブを毛穴に挿入する操作をした状態において電気脱毛用プローブ４からにぎり導子３に向かって所定の時間の間陰極性の直流電流及び又は高周波電流を流すことにより、毛根部に濃い水酸化ナトリウムを生成させ及び又は熱の影響により毛根組織を破壊する現象を生じさせ、その後電気脱毛用プローブを毛穴から引き抜き、その後又は同時に処理毛を引き抜くことにより、当該むだ毛の脱毛処理をする。
【００１１】
かくして皮膚の多数の毛穴についてむだ毛の脱毛処理をした後、施術者は、にぎり導子３を被施術者の手ににぎらせた状態において、図２に示すように、脱毛施術が終了した被施術者の皮膚ＳＫ上に、アフタトリートメント用ローラ５の先端にあるローラ部１１を転接させながら、アフタトリートメント用ローラ５からにぎり導子３に向けて陽極性の直流電流を流すことにより、アフタトリートメント処理をする。
【００１２】
アフタトリートメント用ローラ５は、図３〜図７に示すように、断面がほぼ楕円でかつ棒状の外形形状を有する把持部を形成するケース部１２の先端部において、その側面から右前方に突出するアーム部１３を有する。
【００１３】
アーム部１３は、表面をアルマイト加工された断面円形のアルミニウム棒でなり、ケース部１２の右側面から右前方に突出する突出延長部１３Ａと、突出延長部１３Ａの前端位置から左方に湾曲しながら折れ曲がる折曲り部１３Ｂと、折曲り部１３Ｂの先端位置から、ケース部１２の中心軸線Ｌ１と直交するように延長する支持軸部１３Ｃとを有する。かくしてケース部１２の前方位置において中心軸線Ｌ１と直交する支持軸線Ｌ２上に配置された支持軸１３Ｃは、この支持軸１３Ｃ上に、導電性シリコンゴムによって円筒状に成形されたローラ部１１を、その中心孔に支持軸部１３Ｃが挿通された状態で、回転自在に保持している。
【００１４】
図４及び図６に示すように、ローラ部１１の両端面位置には、支持軸部１３Ｃ上におけるローラ部１１の回転位置を規制する抜止め部材１１Ａ及び１１Ｂが設けられている。
【００１５】
ケース部１２は、上側半体１２Ｕ及び下側半体１２Ｄに縦割りに２分割され、その後端部にキャップ１２Ｃが嵌め込まれることにより一体化されていると共に、前端部において下側半体１２Ｄ側から係止ねじ１２Ｂによって、当該一体状態を保持するようになされている。
【００１６】
キャップ１２Ｃには後方から電気的リード線１５を内部に挿通する透明のエアーチューブ１６が嵌め込まれ、その遊端に設けられているコネクタ１７によってエアーチューブ１６及び電気的リード線１５が美容脱毛装置本体部２（図１）のローラ用端子Ｔ３に接続される。
【００１７】
美容脱毛装置本体部２は、アフタトリートメント用ローラ５を用いたアフタトリートメント処理時、リード線１５を介してケース部１２に陽極性の直流電流を供給すると共に、エアーチューブ１６を介してトリートメント用エアーを供給する。
【００１８】
下側半体１２Ｄの先端部における中心軸線Ｌ１（図５）上には、図８及び図９に示すように、下前方に（この実施の形態の場合中心軸線Ｌ１から下方に所定の吹出し角度すなわち30°±10°の方向に）、エアー噴出し口２１が穿設されている。
【００１９】
ケース部１２のエアー噴出し口２１の内側には、エアー噴出しノズル２２が取り付けられ、このエアー噴出しノズル２２にエアー供給チューブ２３を通じて供給されたトリートメント用エアーが、エアー噴出しノズル２２のノズル噴出し口２２Ａ（図９）から噴き出すようになされている。
【００２０】
この実施の形態の場合、ケース部１２の内部には、コネクタ１７を介してエアーチューブ１６を通って送られて来るトリートメント用エアーをエアー供給チューブ２３に流すと共に、エアーチューブ１６を挿通するリード線１５をエアーチューブ１６から分離してアーム部１３に電気的に接続するエアー・電流分離器（図示せず）が設けられている。
【００２１】
以上の構成において、むだ毛の脱毛施術が終了した後、施術者は、図１０に示すように、ローラ部１１にトリートメント用ローションとして化粧品、医薬部外品、医薬品のローション及び有効成分配合した水溶液を浸透させた不織布でなる円筒状ローラカバー３０を被せた後、把持部を構成するケース部１２を把持して（この実施の形態の場合、ケース部１２の左右両側に把持するための把持パターン部２２Ｌ及び２２Ｒが形成されている）、図２に示すように、ローラ部１１を被施術者の皮膚ＳＫ上を転接させながら、アフタトリートメント用ローラ５を往復操作する。
【００２２】
かくして往復操作によってローラ部１１が転動したとき被施術者の皮膚にローラカバー３０に浸透しているトリートメント用ローションを塗り付けることができる。
【００２３】
このようにして、アフタトリートメント用ローラ５を往復操作している状態において、ケース部１２には美容脱毛装置本体部２からエアーチューブ１６及びリード線１５を介してトリートメント用エアー及び陽極性の直流電流が供給される。
【００２４】
陽極性の直流電流は、アーム部１３及びローラ部１１、ローラカバー３０を介して被施術者の皮膚ＳＫに流され、このとき電気脱毛施術によって被施術者の皮膚ＳＫに陰極性の直流電流が流されることによりアルカリ性になっている皮膚ＳＫの表面が、ローラ部１１から流される陽極性の直流電流によって中和され、その結果電気脱毛施術を受けた際に当該部位に生じた発赤及び発熱などの炎症や、毛穴の拡張を効果的に抑制できる。
【００２５】
これに加えてアフタトリートメント用ローラ５を操作したとき、エアー噴出し口２１からトリートメント用エアーＡＲが被施術者の皮膚ＳＫ上に吹き付けられることにより、トリートメント操作によってローラカバー３０から皮膚ＳＫに塗り付けられたローションの気化速度を大きくすることができ、これにより美容脱毛処理によって発熱した皮膚ＳＫを冷却することができる。その結果美容脱毛施術を受けた部位に生ずる発赤及び発熱を抑制できると共に、拡張した毛穴を収縮させるような作用を生じる。
【００２６】
ここで、エアー噴出し口２１の噴出し角度を30°±10°に選定したことにより、ローラ部１１に直接にトリートメント用エアーを吹き付けずに皮膚上に吹き付けることにより、トリートメント用エアーによる皮膚の冷却効果（特にローラカバー３０によって皮膚に塗り付けられたローションの気化による）の効率を高めることができると共に、ローラ部１１上のローラカバー３０に浸透したローションを無駄に乾かさないようにできる。
【００２７】
かくするにつき、ローラ部１１が支持軸部１３Ｃによってケース部１２の中心軸線Ｌ１上の先端位置において回転できるように保持されていることにより、被施術者の皮膚ＳＫとして比較的小さい凹凸があるような部位（例えば腋窩部など）をトリートメント処理する際にも、ローラ部１１を他の平坦部と同じように転接させることができ、かくして被施術者に余分な負担を与えることなく簡便にトリートメント処理をすることができる。
【００２８】
また、アーム部１３の表面をアルマイト加工したことにより、アルミニウム棒の周囲に電気的絶縁被覆層を形成でき、これによりアーム部１３が皮膚に触れても電流が流れないので、被施術者の皮膚に部分的なショックを与えないようにできる。
【００２９】
ローラカバー３０に浸透させるアフタトリートメント用ローションに配合される成分として次のものを適用できる。
【００３０】
抗炎症、鎮痛、鎮静作用を呈するものとして、ε−アミノカプロン酸、β−グリチルレチン酸、アラントイン、グリチルリチン酸、グリチルレチン酸ジカリウム、グリチルリチン酸モノアンモニウム、グリチルレチン酸ステアリル、トラネキサム酸、塩化リゾチーム、サリチル酸メチル、塩酸イソチペンジル、ジフェンヒドラミン、ラウリル硫酸ジフェンヒドラミン、アンモニア水、塩化亜鉛、石灰水、硫酸亜鉛、硫酸アルミニウムカリウム、カラミン、酸化亜鉛、チンク油、カンフル製剤、カンタリスチンキ、トウガラシチンキ、イクタモール、酢酸鉛、次没食子酸ビスマス、副腎皮質ホルモン剤、インドメタシン、イブプロフェンピコノール、ウフェナマート、クロタミトン、ケトプルフェン、スプロフェン、デキストラン硫酸ナトリウム、ビタミンＡ油、ピロキシカム、フェルビナク、ブフェキサマク、フルルビプロフェン、ベンダザック、タンニン酸、抗生剤配合ステロイド剤、尿素、リンゴタンニン、ソルビトール発酵多糖液、酵母エキス、銅クロロフィリンナトリウム、ビフィズス菌エキス、ビサボロール、ホップエキス、チャエキス、チョウジエキス、セイヨウハッカエキス、グアイアズレン、アスパラガス抽出液、シャクヤクエキス、トウニンエキス、カンゾウエキス、マロニエキス、テンチャエキス、オノニスエキス、カモミラエキス、イザヨイバラエキス、キンギンカエキス、ヒノキ水、プルーン酵素分解物、ヨモギエキス、ヨモギ水などを用い得る。
【００３１】
また、抗菌、静菌、除菌、殺菌、消毒作用を呈するものとして、エチルアルコール、イソプロパノール、フェノキシエタノール、１，２−ペンタンジオール、ホルマリン、グルタラール、フェノール、過酸化水素水、サリチル酸、尿素、ヒノキチオール、トリクロロカルバニリド、塩酸アルキルジアミノエチルグリシン液、次亜塩素酸ナトリウム、ヨウ素及びヨウ素化合物、ホウ酸、過マンガン酸カリウム、クレゾール石鹸液、クレオソート、レゾルシン、アクリノール、塩化ベンゼトニウム、塩化ベンザルコニウム、塩酸アルキルポリアミノグリシン、塩酸アルキルジアミノグリシン、塩化第二水銀、チメロサール、マーキュロクロム、グルコン酸クロルヘキシジン、ホップエキス、チャエキス、リンゴタンニン、マルトース・ショ糖縮合物、チョウジエキス、セイヨウハッカエキス、加水分解シルク液、アスパラガス抽出エキスなどを用いる。
【００３２】
さらに、美白作用を呈するものとして、リン酸Ｌ−アスコルビルナトリウム、リン酸Ｌ−アスコルビルマグネシウム、プラセンタエキス、Ｌ−アスコルビン酸、エラグ酸、アスコルビン酸２−グルコシド、コウジ酸、Ｎ−アセチル−Ｌ−チロシン、アルブチン、ハイドロキノン、シャクヤクエキス、ソウハクヒエキスなどを用い得る。
【００３３】
電気脱毛処理を行う前又は後にアフタトリートメント用ローラ５を用いて予め局所麻酔剤を肌に塗布しておき又はローラカバー３０に含ませておくことにより肌に付着させておくようにすれば、ローラ部１１とにぎり導子３との間に流れる直流電流の作用（イオン浸透療法）を利用することにより、局所麻酔剤の成分を肌に浸透させることができ、かくして電気脱毛処理時に生ずる傷みをこの処理によって緩和することができる。
【００３４】
このとき使用する局所麻酔剤の成分としては、アミノ安息香酸エチル、塩酸リドカイン、塩酸テトラカイン、塩酸ジブカイン、塩酸オキシプロカイン、テーカイン、塩酸プロピトカイン、塩酸コカインなどを用い得る。
【００３５】
（２）第２の実施の形態
図１１及び図１２は第２の実施の形態を示すもので、この場合のケース部１２は、下側ケース半体１２Ｄの先端部において中心軸線Ｌ１を挟む対称位置に２つのエアー噴出し口２５Ａ及び２５Ｂが設けられている。
【００３６】
この場合、エアー噴出し口２５Ａ及び２５Ｂは、図１２に示すように、中心軸線Ｌ１から下前方に向かって所定の吹出し角度（30°±10°）で穿設され、これによりエアー噴出しノズル２２からローラ部１１が転接する皮膚部分にトリートメント用エアーＡＲを吹き付けることができるようになされている。
【００３７】
図１１及び図１２の構成によれば、２つのエアー噴出し口２５Ａ及び２５Ｂを設けるようにしたことにより、皮膚に吹き付けられるエアー量を大きくすることができ、この分皮膚に塗られたアフタトリートメント用ローションの気化速度を大きくすることができ、これにより皮膚に対して大きな冷却効果を与えることができることにより、中和された皮膚表面の毛穴をさらに一段と早く収縮させることができる。
【００３８】
（３）第３の実施の形態
図１３及び図１４は第３の実施の形態を示すもので、この場合下側半体１２Ｄの左右両側面上に前下方に向って所定の吹出し角度（30°±10°）で、２つのエアー噴出し口２６Ａ及び２６Ｂが穿設されている。
【００３９】
図１３及び図１４の構成によれば、ケース部１２の下側半体１２Ｄの左右両側位置に設けられたエアー噴出し口２６Ａ及び２６Ｂから左右に広がるようにトリートメント用エアーが噴き出すことにより、ローラ部１１の皮膚に転接する部分の周囲に比較的広い範囲に亘ってトリートメント用エアーＡＲを噴き付けることができ、これにより一段と手早く電気脱毛処理された皮膚を冷却することができる。
【００４０】
（４）第４の実施の形態
図１５及び図１６は第４の実施の形態を示すもので、この場合ケース部１２にはエアー噴出し口が設けられておらず、これに代え、アーム部１３の先端にエアー噴出し口２７が設けられている。
【００４１】
すなわち、アーム部１３はアルミニウム管によって管状に形成され、その支持軸部１３Ｃがローラ部１１を貫通して先端部が反対側に外方に突出し、その突出端が中心軸線Ｌ１から所定の吹出し角度30°±10°の角度で前下方に向く方向に折り曲げられている。
【００４２】
かくしてアーム部１３はアルミニウム管を通して陽極性の直流電流をローラ部１１に流すと共に、アルミニウム管の中空部を通してトリートメント用エアーＡＲをローラ部１１が転接している皮膚部分の僅かに前方部分に噴き付けるようになされている。
【００４３】
図１５及び図１６の構成によれば、エアー噴出し口から噴き出したトリートメント用エアーが、ローラ部１１の中心軸位置から前方にエアーを噴き出すことにより、ローラ部１１に転接するすぐ側の皮膚部分を冷却することができる。
【００４４】
かくしてローラ部１１の転接位置を少しずつ変更することにより、ローラ部１１によって電気的作用により中和させた皮膚部分を冷却することができ、これにより当該中和された皮膚部分の毛穴の収縮処理を簡易に実施できる。
【００４５】
（５）第５の実施の形態
図１７は第５の実施の形態を示すもので、図２との対応部分に同一符号を付して示すように、美容脱毛装置本体部２からアフタトリートメント用ローラ５にトリートメント用エアーを送るエアーチューブ１６の途中に霧状ないし液滴状のトリートメント用エアー作成手段としてローションタンク３１を設け、これによりアフタートリートメント用ローラ５に霧状のローションを含むトリートメント用エアーＡＲＸを供給する。
【００４６】
図１７の構成によれば、アフタトリートメント処理時、美容脱毛装置本体部２から送られて来るトリートメント用エアーをローションタンク３１に送り込むことによりローションを含むトリートメント用エアーＡＲＸを発生させてアフタトリートメント用ローラ５に供給する。
【００４７】
かくして、アフタトリートメント処理時、アフタトリートメント用ローラ５の往復操作に応じてエアー噴出口２１からローションを含むアフタトリートメント用エアーＡＲＸが被施術者の皮膚ＳＫに吹き付けられることにより皮膚ＳＫにローションを塗り付けると同時にこれを気化させるような作用を生じさせる。
【００４８】
以上の構成によれば、ローラ部１１からの陽極性の直流電流による皮膚の中和効果及び皮膚の冷却効果を簡便に得ることができる。
【００４９】
かくするにつき、皮膚に塗り付けられたローションの一部は、当該ローションを塗り付けられた部位を転動するローラ部１１のローラカバー３０によって吸いとられ、これによりローラカバー３０に浸透しているローションが乾かないように少しづつ補給でき、その結果皮膚へのローションの塗布を適切に実施できる。
【００５０】
【発明の効果】
上述のように本発明によれば、電気脱毛施術をした部位の皮膚をローラ部に被せられたローラカバーに含浸されたアフタトリートメント用ローションを被施術者の皮膚に塗り付けてトリートメント処理をすると共に、アフタトリートメント用エアーを噴き出させて冷却効果を与えるようにしたことにより、簡易なトリートメント処理操作によって簡便に皮膚の中和及び毛穴の収縮処理を実現できる。かくするにつき、細かい凹凸がある部位についても凹凸が少ない部位と同様の作業で難なくトリートメント処理をすることができる。
【図面の簡単な説明】
【図１】本発明によるトリートメント用ローラを用いた美容脱毛装置を示す略線的系統図である。
【図２】アフタトリートメント処理に用いるアフタトリートメント用ローラを示す側面図である。
【図３】アフタトリートメント用ローラの正面図である。
【図４】アフタトリートメント用ローラの右側面図である。
【図５】アフタトリートメント用ローラの背面図である。
【図６】アフタトリートメント用ローラの左側面図である。
【図７】アフタトリートメント用ローラの底面図である。
【図８】アフタトリートメント用ローラのエアー噴出し口部分の構成を示す拡大断面図である。
【図９】図８の底面図である。
【図１０】ローラ部にローラカバーを被せた状態のアフタトリートメント用ローラを示す正面図である。
【図１１】本発明の第２の実施の形態を示すアフタトリートメント用ローラの背面図である。
【図１２】図１１のアフタトリートメント用ローラの先端部分の構成を示す拡大断面図である。
【図１３】本発明の第３の実施の形態であるアフタトリートメント用ローラの背面図である。
【図１４】図１３の先端部分の構成を示す拡大断面図である。
【図１５】本発明の第４の実施の形態を示すアフタトリートメント用ローラの背面図である。
【図１６】図１５の先端部の構成を示す右側面図である。
【図１７】本発発明の第５の実施の形態を示す略線的側面図である。
【符号の説明】
１……美容脱毛装置、２……美容脱毛装置本体部、３……にぎり導子、４……電気脱毛用プローブ、５……アフタトリートメント用ローラ、１１……ローラ部、１２……ケース部、１２Ｕ……上側半体、１２Ｄ……下側半体、１２Ｃ……キャップ、１３……アーム部、１３Ａ……突出延長部、１３Ｂ……折曲り部、１３Ｃ……支持軸部、１５……リード線、１６……エアーチューブ、１７……コネクタ、２１、２５Ａ、２５Ｂ、２６Ａ、２６Ｂ、２７……エアー噴出し口、３０……ローラカバー、３１……ローションタンク。
【図１】
0004401546.tif 000002
【図２】
0004401546.tif 000003
【図３】
0004401546.tif 000004
【図４】
0004401546.tif 000005
【図５】
0004401546.tif 000006
【図６】
0004401546.tif 000007
【図７】
0004401546.tif 000008
【図８】
0004401546.tif 000009
【図９】
0004401546.tif 000010
【図１０】
0004401546.tif 000011
【図１１】
0004401546.tif 000012
【図１２】
0004401546.tif 000013
【図１３】
0004401546.tif 000014
【図１４】
0004401546.tif 000015
【図１５】
0004401546.tif 000016
【図１６】
0004401546.tif 000017
【図１７】
0004401546.tif 000018